(57)【要約】    【課題】  コンクリートから型枠構成部材を簡単に剥離することができるコンクリート型枠を提供する。    【解決手段】  側板部４内にコンクリートを充填し、コンクリートから側板部４を離してコンクリート製品101を成形するコンクリート型枠１において、側板部４にコンクリート外面に接する押圧部23を設け、この押圧部23を側板部４の内側に移動する移動手段26を設ける。充填したコンクリートが硬化したら、移動手段26により押圧部23を内側に移動することにより、コンクリート製品101の外面と側板部４の内面との間に隙間ができ、この後、コンクリート製品101から側板部４を簡単に離すことができる。【選択図】      図１
2006326944.tif 000002
【特許請求の範囲】
【請求項１】
型枠構成部材内にコンクリートを充填し、コンクリートから前記型枠構成部材を離してコンクリート製品を成形するコンクリート型枠において、前記型枠構成部材に設けられ前記コンクリート外面に接する押圧部と、この押圧部を前記型枠構成部材の内側に移動する移動手段とを備えることを特徴とするコンクリート型枠。
【請求項２】
前記押圧部の内面が前記型枠構成部材の内面と同一位置に固定可能なことを特徴とするコンクリート型枠。
【請求項３】
複数の押圧部を設け、前記移動手段は複数の前記押圧部を移動することを特徴とする請求項１又は２記載のコンクリート型枠。
【請求項４】
前記型枠構成部材として底板部と側板部とを備え、前記底板部側に前記側板部を枢着部により展開可能に設け、前記側板部の反枢着部側に前記押圧部を設けたことを特徴とする請求項１〜３のいずれか１項に記載のコンクリート型枠。
【発明の詳細な説明】
【技術分野】
【０００１】
本発明は、コンクリート型枠に係り、特に型枠構成部材をコンクリートから容易に剥離することができるコンクリート型枠に関する。
【背景技術】
【０００２】
従来、この種の型枠は、底板部の周囲に枢着部により側板部を展開可能に枢着し、それら側板部相互を締め金具により固定して組立てた後、コンクリートを充填し、コンクリートの硬化後に締め金具を外し、側板部を展開して脱型し、コンクリート製品を成形するようにしている（例えば特許文献１及び特許文献２）。
【０００３】
また、型枠には、コンクリートが硬化した後、側板部である外枠を外側にスライド移動させるようにして離すことにより脱型するものがある（例えば特許文献３）。
【０００４】
上記のような型枠は、構造が比較的簡易で、量産用として優れた利点を有する。しかし、製品の形状が複雑になると、側板部にコンクリートが密着し、側板部に内面に剥離材を塗布しても、側板部を容易に展開又は離することができなくなり、生産性が大幅に低下する問題がある。
【特許文献１】特開平１０−３３７７１６号公報
【特許文献２】特開２００２−２４８６１４号公報
【特許文献３】特開２００２−３２６２１３号公報
【発明の開示】
【発明が解決しようとする課題】
【０００５】
そこで、本発明は、コンクリートから型枠構成部材を簡単に剥離することができるコンクリート型枠を提供することを目的とする。
【課題を解決するための手段】
【０００６】
請求項１の発明は、型枠構成部材内にコンクリートを充填し、コンクリートから前記型枠構成部材を離してコンクリート製品を成形するコンクリート型枠において、前記型枠構成部材に設けられ前記コンクリート外面に接する押圧部と、この押圧部を前記型枠構成部材の内側に移動する移動手段とを備えるものである。
【０００７】
また、請求項２の発明は、前記押圧部の内面が前記型枠構成部材の内面と同一位置に固定可能なものである。
【０００８】
また、請求項３の発明は、複数の押圧部を設け、前記移動手段は複数の前記押圧部を移動するものである。
【０００９】
また、請求項４の発明は、前記型枠構成部材として底板部と側板部とを備え、前記底板部側に前記側板部を枢着部により展開可能に設け、前記側板部の反枢着部側に前記押圧部を設けたものである。
【発明の効果】
【００１０】
請求項１の構成によれば、充填したコンクリートが硬化したら、移動手段により押圧部を内側に移動することにより、コンクリート外面と型枠構成部材内面との間に隙間ができ、この後、コンクリートから型枠構成部材を簡単に離すことができる。
【００１１】
また、請求項２の構成によれば、コンクリート製品の表面に与える影響が少ない。
【００１２】
また、請求項３の構成によれば、押圧部を複数設けることにより、コンクリート外面から型枠構成部材を均等且つ効率よく引き離すことができ、しかも、共通する移動手段により簡便に操作することができる。
【００１３】
また、請求項４の構成によれば、枢着部と離れた側に押圧部があるから、枢着部を中心とした梃子の原理で、押圧部の移動による引き離し効果に優れたものとなり、また、開口側に近いから、引き離し易くなる。
【発明を実施するための最良の形態】
【００１４】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規なコンクリート型枠を採用することにより、従来にないコンクリート型枠が得られ、そのコンクリート型枠について記述する。
【実施例１】
【００１５】
以下、本発明の実施例を添付図面を参照して説明する。図１〜図６は本発明の実施例１を示し、同図に示すように、型枠１は、型体構成部材である外枠２を備え、この外枠２は、底板部３と、長手方向の側板部４，５と、幅方向の両端側板部６，６とからなる。尚、両端側板部６は、側板部４，５の展開時に略中央側の合わせ目Ｋから開くものである。
【００１６】
前記側板部４，５には、図５などに示すように、所定間隔毎に仕切り部７，８が中央側に向って突出され、型閉め状態で、それら仕切り部７，８の先端７Ｓ，８Ｓ同士が当接して、型枠１内が複数の充填空間９に仕切られ、各充填空間９は製品101の形状に対応する。また、充填空間９に対応して、一方の側板部４には長手方向の凸部成形部14を設け、他方の側板部５には凹部成形部５Ｔが設けられている。また、一方の側板部４と一体に設けた前記仕切り部７には、製品101の側面に凹部を形成する側面凹部成形部10が形成されている。
【００１７】
前記底板部３はベース体11上に設けられている。また、前記側板部４，５の下部には枢着腕部12，13をそれぞれ下方に突設し、それら枢着腕部12，13の先端内側を、枢着部12Ａ，13Ａにより前記ベース体11に回動可能に連結し、これにより前記側板部４，５が外側に展開可能になっている。
【００１８】
上記のような型枠１において、本実施例では、型枠構成部材である側板部４をコンクリートから剥離するための剥離装置21を備える。この剥離装置21は、前記側板部４に孔22を穿設し、この孔22を塞ぎ型枠１内に進退可能な押圧部23を備え、固定時には押圧部23の内面23Ａが側板部４の内面と面一となる。尚、孔22を穿設する箇所には、円形の補強板24が側板部４に一体に設けられており、押圧部23は、側板部４と補強板24とを合わせた厚さを有し、補強板24と同心円でその内部に位置する。また、前記押圧部23の外面には、側板部４の内外方向の作動杆25が一体に設けられている。さらに、この例では、各充填空間９に対応して、前記押圧部23が設けられ、各充填空間９の型枠長手方向のほぼ中央に押圧部23を設けている。
【００１９】
前記押圧部23は、移動手段26により内側に移動する。この例の移動手段26は、前記複数の押圧部23を同時に移動する。移動手段26は、側板部４の外面で、型枠１の長手方向に、該型枠１と略同一長さの駆動杆27を設け、この移動杆27には各作動杆25を挟んで前記長手方向に移動する係合移動部28を設け、この係合移動部28は各作動杆25を挟むコ字状部材29，29からなり、これらコ字状部材29，29の底部の長穴29Ａ，29Ａと前記作動杆25の孔25Ａとに、頭部30Ａ付きの伝達ピン30を挿通し、この伝達ピン30は、前記作動杆25の長さ方向に対して交差方向に穿設された前記孔25Ａに挿通され、先端の孔に抜止めピン31を挿通して装着される。図４に示すように、前記長孔28Ａは、長手方向一側が側板部４に近く、他側が側板部４から離れるように前記コ字状部材29に斜めに穿設されている。前記作動杆25と係合移動部28を案内する案内部材たる案内ブラケット32を設け、この案内ブラケット32は前記押圧部23を挟む両側に設けられ、それら案内ブラケット32，32は、側板部４に固着されており、前記コ字状部材29，29を挿入案内する案内孔32Ａ，32Ａが穿設され、これら案内孔32Ａ，32Ａに挿入された前記コ字状部材30，30が型枠長手方向に案内される。また、前記案内ブラケット32，32には前記押圧部23と平行に作動案内板33，33が設けられ、これら作動案内板33，33には、前記作動杆25を挿通案内する案内孔33Ａ，33Ａが穿設され、これら案内孔33Ａ，33Ａに挿入された前記作動杆25が、側板部４の交差方向でその内外方向に案内される。
【００２０】
また、型枠１の端部には、前記駆動杆27を型枠長手方向に往復動する操作部34を設けられ、この操作部34は、例えば操作ハンドル35と、この操作ハンドル35の回転を前記駆動杆27の往復動に変換する往復動変換機構36とを備える。尚、このように操作ハンドル35により手動で駆動してもよいし、往復動変換機構36を電動や液体圧などの動力源を用いて駆動してもよい。
【００２１】
そして、押圧部23の内面23Ａが側板部４の内面と面一の状態で、作動杆25に挿通した伝達ピン30は、長孔29Ａの一側にあり、この位置で固定されており、操作部34の操作により、駆動杆27を一側に移動すると、伝達ピン30が相対的に長孔29Ａの他側に移動し、これにより伝達ピン30が側板部４側に近づき、押圧部23が型枠１内に押し込まれる。
【００２２】
次に、前記構成につき、その作用を説明すると、型枠１を閉じた状態で、各充填空間９にコンクリートを充填し、このコンクリートが硬化したら、型開きを行う。ここで、まず、操作部34を操作して、押圧部23を型枠１内へと押し込んでやる。すると、硬化したコンクリート製品101が押圧部23により部分的に押され、コンクリート製品101と側板部４との間に僅かな隙間でき、両者の密着状態が解除され、この後は、側板部４を枢着部12Ａを中心として簡単に展開することができる。
【００２３】
このように本実施例では、請求項１に対応して、型枠構成部材たる側板部４内にコンクリートを充填し、コンクリートから側板部４を離してコンクリート製品101を成形するコンクリート型枠１において、側板部４に設けられコンクリート外面に接する押圧部23と、この押圧部23を側板部４の内側に移動する移動手段26とを備えるから、充填したコンクリートが硬化したら、移動手段26により押圧部23を内側に移動することにより、コンクリート製品101の外面と側板部４の内面との間に隙間ができ、この後、コンクリート製品101から側板部４を簡単に離すことができる。
【００２４】
また、このように本実施例では、請求項２に対応して、押圧部23の内面23Ａが側板部４の内面と同一位置に固定可能であるから、コンクリート製品101の表面に与える影響が少ないものとなる。
【００２５】
また、このように本実施例では、請求項３に対応して、複数の押圧部23，23…を設け、移動手段26は複数の押圧部23，23…を移動するから、押圧部23，23…を複数設けることにより、コンクリート外面から側板部４を均等且つ効率よく引き離すことができ、しかも、共通する移動手段26により簡便に操作することができる。
【００２６】
また、このように本実施例では、請求項４に対応して、型枠構成部材たる側板部４として底板部３と側板部４，５とを備え、底板部３側に側面部４を枢着部12Ａにより展開可能に設け、側板部４の反枢着部側に押圧部23を設けたから、枢着部12Ａと離れた側に押圧部23があり、枢着部12Ａを中心とした梃子の原理で、押圧部23の移動による引き離し効果に優れたものとなり、また、上部の開口側に近いから、引き離し易くなる。
【００２７】
また、実施例上の効果として、駆動杆27の移動方向に対して斜設された長孔29Ａと、これに係合する伝達ピン30とにより、駆動杆27の往復動をこれと交差する押圧部23の往復動に変換することにより、複数の押圧部23を確実に駆動することができる。
【実施例２】
【００２８】
図７は本発明の実施例２を示し、上記実施例１と同一部分に同一符号を付し、その詳細な説明を省略して詳述すると、この例では、剥離装置21の変形例を示し、作動杆25は単独で駆動し、前記側板部４の外側に案内筒体41を設け、案内筒体41は前記案内板33，33に固定され、これにより側板部４に固定されており、前記案内筒体41の内部に雌螺子部41Ａを形成し、この雌螺子部41Ａに螺合する雄螺子部25Ｂを、前記作動杆25に形成し、作動杆25の外端側に操作部たるバーハンドル42を挿通する。また、作動杆25の先端を、回動連結部25Ｃにより、前記押圧部23の補強板24に回動可能に連結する。さらに、作動杆25の先端側には前記案内板33に当接する内側ストッパ43が設けられ、前記内側ストッパ43が前記案内板33に当接した位置で、押圧部23の内面23Ａは側板部４の内面と面一となる。尚、前記作動杆25及び案内筒体41などにより移動手段26Ａを構成している。
【００２９】
そして、押圧部23の内面23Ａが側板部４の内面と面一の状態で、型枠１内にコンクリートを充填し、このコンクリートが硬化したら、型開きを行う。ここで、まず、バーハンドル42を操作し、作動杆25と押圧部23とは回動連結部25Ｃにより連結されているから、作動杆25のみが回転し、押圧部23を内側へと押し付け、これにより硬化したコンクリート製品101が押圧部23により部分的に押され、コンクリート製品101と側板部４との間に僅かな隙間ができ、両者の密着状態が解除され、この後は、枢着部12Ａを中心として側板部４を簡単に展開することができる。
【００３０】
このように本実施例では、型枠構成部材たる側板部４に設けられコンクリート製品101の外面に接する押圧部23と、この押圧部23を側板部４の内側に移動する移動手段26Ａとを備えるから、請求項１，２及び４に対応して、上記実施例１と同様な作用・効果を奏する。
【００３１】
また、実施例上の効果として、螺子の回転により押圧部23を往復動するから、位置調整が容易で、且つ効率よく押圧部23の押し込み力を得ることができる。
【実施例３】
【００３２】
図８は本発明の実施例３を示し、上記各実施例と同一部分に同一符号を付し、その詳細な説明を省略して詳述すると、この例では、剥離装置21の変形例を示し、押圧部23に、回動連結部25Ｃにより、作動杆25の先端を回動自在に設けられ、側板部４に固定したブラケット51に案内筒体41を固着し、この案内筒体41の雌螺子部41Ａに、作動杆25の雄螺子部25Ｂを螺合し、作動杆25の基端側に回動操作部52を設けており、回動操作部52を操作することにより、押圧部23が側板部４の内側に移動する。尚、前記作動杆25及び案内筒体41などにより移動手段26Ａを構成している。
【００３３】
この例においても、請求項１，２及び４に対応して、上記各実施例と同様な作用・効果を奏する。
【００３４】
なお、本発明は、前記実施例に限定されるものではなく、種々の変形実施が可能である。例えば、実施例では、剥離装置を側板部に設けたが、底板部に設けてもよい。また、押圧部の内面を側板部の内面から突出した状態でコンクリートを充填するようにしてもよい。さらに、隣り合う充填空間同士を部分的に連結するようにしてもよい。
【図面の簡単な説明】
【００３５】
【図１】本発明の実施例１を示す型枠要部の断面図である。
【図２】同上、一部を切欠いた型枠の側面図である。
【図３】同上、押圧部及び移動手段回りの断面図である。
【図４】同上、移動手段の要部の断面図である。
【図５】同上、型枠の要部の平面図である。
【図６】同上、端部側を含む型枠の平面図である。
【図７】本発明の実施例２を示す型枠要部の断面図である。
【図８】本発明の実施例３を示す型枠要部の断面図である。
【符号の説明】
【００３６】
１  型枠
２  外枠
３  底板部（型枠構成部材）
４  側板部（型枠構成部材）
５  側板部（型枠構成部材）
21  剥離装置
23  押圧部
23Ａ  内面
25  作動杆
26  移動手段
26Ａ  移動手段
101  コンクリート製品
【図１】
2006326944.tif 000003
【図２】
2006326944.tif 000004
【図３】
2006326944.tif 000005
【図４】
2006326944.tif 000006
【図５】
2006326944.tif 000007
【図６】
2006326944.tif 000008
【図７】
2006326944.tif 000009
【図８】
2006326944.tif 000010